(57)【要約】  本発明は、電力重視アプリケーション、とりわけ、照明アプリケーション用の電力及びデータの伝送のための、ケーブル１２、及び前記ケーブル１２に取り付け可能なオスコネクタ１０、２０に関する。前記オスコネクタ１０、２０は、電力伝送Ｐのための接点と、データ通信Ｄのための接点とを有すると共に、オプションとして、コンフィギュレーション信号Ｃのための接点を有し、変換回路１１、２１は、前記コンフィギュレーション信号Ｃを、前記電力伝送Ｐ及び／又は前記データ通信Ｄと一緒に信号線のシングル・ツイスト・ペアを介して伝送されるよう変換するよう構成される。前記コネクタ内に変換回路を設けることは、前記オスコネクタの各々のコネクタを介して受信される２つ以上の信号を組み合わせて、ツイスト信号線の単一のペアを通じて伝送される組み合わせ信号を生成することを可能にし、前記コネクタは、かなり高い柔軟性を持つケーブルの使用を可能にする。
2020524881.tif 000002
【特許請求の範囲】
【請求項１】
電力重視アプリケーション用の電力及びデータの伝送のためのケーブルに取り付け可能なコネクタであり、
電力伝送のための接点と、
データ通信のための接点と、
前記電力伝送及び前記データ通信と一緒に信号線のシングル・ツイスト・ペアを介して伝送されるコンフィギュレーション信号を生成するよう構成される変換回路とを有するコネクタであって、
前記コネクタが、コンフィギュレーション信号のための接点を更に有し、前記コンフィギュレーション信号を生成するよう構成される変換回路が、前記コンフィギュレーション信号のための接点を介して受信されるコンフィギュレーション信号を、前記電力伝送及び前記データ通信と一緒に信号線のシングル・ツイスト・ペアを介して伝送されるよう復号及び変換するよう構成される変換回路を有するコネクタ。
【請求項２】
前記変換回路が、前記変換回路のメモリに記憶される所定のパラメータに基づいて前記コンフィギュレーション信号を生成するコンフィギュレーション信号回路を有する請求項１に記載のコネクタ。
【請求項３】
前記変換回路が、前記データ通信から、前記コンフィギュレーション信号回路から受信される前記コンフィギュレーション信号と組み合わせ信号を生成するハブを有する請求項１又は２に記載のコネクタ。
【請求項４】
前記ハブからの前記組み合わせ信号が、信号線のシングル・ツイスト・ペアを介して伝送される請求項３に記載のコネクタ。
【請求項５】
前記変換回路が、前記コンフィギュレーション信号回路から受信される復号された前記コンフィギュレーション信号から高周波信号を生成する変調器を有する請求項１又は２に記載のコネクタ。
【請求項６】
前記変換回路が、前記ハブから受信される前記組み合わせ信号から高周波信号を生成する変調器を有する請求項３に記載のコネクタ。
【請求項７】
前記変換回路が、前記変調器から受信される前記高周波信号を、信号線のシングル・ツイスト・ペアにおいて伝送される前記電力伝送と組み合わせるフィルタユニットを有する請求項５又は６に記載のコネクタ。
【請求項８】
前記変換回路が、ローカル電源レギュレータを有する請求項１乃至７のいずれか一項に記載のコネクタ。
【請求項９】
前記変換回路が、更に、信号線のシングル・ツイスト・ペアから受信される伝送からコンフィギュレーション信号を抽出するよう構成され、前記伝送が、前記電力伝送及び前記データ通信と一緒に前記コンフィギュレーション信号を有する請求項１乃至８のいずれか一項に記載のコネクタ。
【請求項１０】
電力重視アプリケーション用の電力及びデータの伝送のためのケーブルに取り付け可能なコネクタであり、
電力伝送のための接点と、
データ通信のための接点と、
信号線のシングル・ツイスト・ペアから受信される伝送からコンフィギュレーション信号を抽出するよう構成される変換回路とを有し、前記伝送が、前記電力伝送及び前記データ通信と一緒に前記コンフィギュレーション信号を有するコネクタ。
【請求項１１】
コンフィギュレーション信号のための接点を更に有する請求項１０に記載のコネクタ。
【請求項１２】
前記伝送が、前記電力伝送及び前記データ通信と一緒に前記コンフィギュレーション信号を有し、前記変換回路が、更に、前記シングル・ツイスト・ケーブルから受信される前記伝送から前記電力伝送及び前記データ通信を抽出するよう構成される請求項９、１０又は１１に記載のコネクタ。
【請求項１３】
電力重視アプリケーション用の電力及びデータの伝送のためのケーブルであり、
前記ケーブルの一方の側に請求項１乃至９のいずれか一項に記載の第１コネクタを有すると共に、
前記ケーブルの他方の側に請求項９乃至１２のいずれか一項に記載の第２コネクタを有するケーブルであって、
前記ケーブルが、前記電力伝送及び／又は前記データ通信と一緒のコンフィギュレーション信号の通信のためにワイヤの１つのツイスト・ペアしか含まないケーブル。
【請求項１４】
前記第１及び第２コネクタが、請求項９に記載のコネクタである請求項１３に記載のケーブル。
【発明の詳細な説明】
【技術分野】
【０００１】
本発明は、電力重視アプリケーションのための新しいUSB power delivery規格を使用したケーブル配線に関する。より具体的には、本発明は、電力重視アプリケーション用の、とりわけ、照明アプリケーションのための電力及びデータの伝送のための、ケーブルに取り付け可能なオスコネクタ、及びケーブルに関する。
【背景技術】
【０００２】
USB-PDは、新しいUSBコネクタのフォームファクタのUSB-Cを導入する新しいバージョンのUSB規格である。USB-Cは、USB接続のための将来規格になるだろう。USB-Cコネクタは、以前のUSBコネクタに比べて小さく、USB3.1のデータ転送速度までサポートするだけでなく、非常に堅牢であり、いずれの方向にも収まるように対称形をしている。最後に、USB-Cコネクタは、100Wまでの電力供給をサポートするよう設計されている。
【０００３】
USB-Cメスジャックは、充電器、バッテリパック、モバイルデバイス、ラップトップ、モニタ及びドッキングステーションのような様々なデバイスに組み込まれる。
【０００４】
この新しいタイプのコネクタ、及びUSB-PDの機能の幾つかは、照明産業などであるが、照明産業に限定されない電力重視アプリケーションの製品にとって非常に魅力的である。しかしながら、高いデータ転送速度及び追加機能の定義は、USB-Cパッチケーブルを非常に高価にする。それらは、多くの導体を含むので、堅くもあり、従って、例えば照明アプリケーションにおいて設置されるのに望ましいレベルの柔軟性を供給しないかもしれない。最後に、USBIFは、高いデータ転送速度及びディスプレイポート機能を保証するために、最大ケーブル長を制限している。従って、フル機能のUSB-PDケーブルは、相対的に高価であり、通常、電力重視アプリケーションには過度に複雑に設計されている。照明アプリケーションなどの電力重視アプリケーションは、多くの場合、例えば建物の敷地全体にわたって、アプリケーションデバイスを接続するために長いケーブル長を必要とすることから、電力重視アプリケーションのために改善されたコネクタ及びケーブルを提供することは望ましいだろう。
【０００５】
WO 2016/066371 A1は、制御コマンド又は状態情報を照明デバイスに／から送信又は受信するために、電力供給インターフェースの電力ネゴシエーション接続を使用する装置及び方法を開示している。電力ネゴシエーション接続は、データ接続とは完全に独立した通信チャネルとして使用されることができ、例えば、調光レベル又は色などの制御コマンドは、関連する電力ネゴシエーションプロトコルのベンダ定義メッセージにおいて符号化されることができる。
【発明の概要】
【発明が解決しようとする課題】
【０００６】
電力重視アプリケーションのための電力及びデータの伝送のための改善されたコネクタ及びケーブルを提供することが目的である。
【課題を解決するための手段】
【０００７】
この目的は、独立請求項に記載の（例えば、オス）コネクタ及びケーブルによって達成される。
【０００８】
本発明の或る態様によれば、電力重視アプリケーション用の電力及びデータの伝送のためのケーブルに取り付け可能な（例えばオス）コネクタが提供される。前記オスコネクタは、電力伝送のための接点と、データ通信のための接点と、前記電力伝送及び／又は前記データ通信と一緒に信号線のシングル・ツイスト・ペアを介して伝送されるコンフィギュレーション信号（configuration signaling）を生成するよう構成される変換回路とを有する。
【０００９】
前記コネクタ内に変換回路を設けることは、２つ以上の信号を組み合わせ、組み合わされた信号をツイスト信号線の単一のペアを通じて伝送することを可能にする。従って、前記コネクタは、高い柔軟性を持つケーブルの使用を可能にする。
【００１０】
コンフィギュレーション信号は、接続されるアプリケーションデバイスによって要求される電力及び電圧要求の信号、及びその後のネゴシエーション信号を指す。前記コンフィギュレーション信号は、好ましくは、USB-PDネゴシエーション信号を使用し、前記データ通信は、好ましくは、参照により本明細書に盛り込まれるUSBインプリメンターズフォーラムによるユニバーサル・シリアル・バスの仕様のリビジョン3.1の一部としての、2017年1月12日付けの、USB Power Deliveryの仕様のリビジョン3.0のバージョン1.1に従うUSBデータ信号を使用する。
【００１１】
好ましくは、前記オスコネクタは、照明アプリケーションにおける電力及びデータの伝送のために提供される。照明アプリケーションにおいては、データスループットは、たとえ必要とされるとしても、最小限しか必要とされず、前記ケーブルの低損失、及び例えばケーブル長の増加（例えば5m以上）に焦点のほとんどを当てることができる。損失と、ケーブルの直径と、曲げの柔軟性との間でトレードオフがなされる。
【００１２】
或る実施形態においては、前記オスコネクタは、コンフィギュレーション信号のための接点を更に有し、前記コンフィギュレーション信号を生成するよう構成される変換回路は、前記コンフィギュレーション信号のための接点を介して受信されるコンフィギュレーション信号を、前記電力伝送及び／又は前記データ通信と一緒に信号線のシングル・ツイスト・ペアを介して伝送されるよう復号及び変換するよう構成される変換回路を有する。好ましくは、前記オスコネクタはUSB-Cのフォームファクタに準拠する。
【００１３】
或る実施形態においては、前記変換回路は、前記変換回路のメモリに記憶される所定のパラメータに基づいて前記コンフィギュレーション信号を生成するコンフィギュレーション信号回路を有する。とりわけ、前記コネクタが、コンフィギュレーション信号を受信するための外部接点を含まない場合には、前記変換回路は、予めプログラムされているパラメータに基づいてこれらの信号を生成することができ、このプログラミングは、製造中、コミッショニング中又は動作中に実施され得る。例えば、前記コネクタが負荷に接続される場合には、前記コンフィギュレーション信号回路は、例えば、署名、タイプなどを識別することによって、又は前記データ通信接点を介して要求を受信することによって、前記負荷の電力要求を決定し得る。その場合、前記コンフィギュレーション信号回路は、前記負荷の代わりに電力要求をネゴシエートするための適切な制御信号を生成し得る。
【００１４】
好ましくは、前記変換回路は、前記データ通信から、前記コンフィギュレーション信号回路から受信される前記コンフィギュレーション信号と組み合わせ信号を生成するハブを有する。その場合、前記ハブからの前記組み合わせ信号は、好ましくは、信号線のシングル・ツイスト・ペアを介して伝送され得る。前記電力伝送は、信号線の第２ツイスト・ペアを介して供給される。従って、この実施形態においては、必要とされる前記ケーブルは、より高いデータ転送速度を供給するために少なくともダブル・ツイスト・ペア・ケーブルを含む。
【００１５】
別の実施形態においては、前記変換回路は、前記コンフィギュレーション信号を生成する、又は受信されるコンフィギュレーション信号を復号及び変換するコンフィギュレーション信号回路を有すると共に、好ましくは、前記コンフィギュレーション信号回路から受信される前記コンフィギュレーション信号から高周波信号を生成する変調器を有する。好ましくは、前記変換回路は、前記変調器から受信される前記高周波信号を、信号線のシングル・ツイスト・ペアにおいて伝送される前記電力伝送と組み合わせるフィルタユニットを有する。前記データ通信は、信号線の第２ツイスト・ペアを介して供給される。従って、この実施形態においても、前記必要とされるケーブルは、より高いデータ転送速度を供給するために少なくともダブル・ツイスト・ペア・ケーブルを含む。
【００１６】
他の実施形態においては、前記コンフィギュレーション信号を生成する、又は制御信号のための接点を介して受信されるコンフィギュレーション信号を復号及び変換するコンフィギュレーション信号回路が供給されると共に、好ましくは、前記データ通信から、前記コンフィギュレーション信号回路から受信される復号された前記コンフィギュレーション信号と組み合わせ信号を生成するハブ、及び前記ハブから受信される前記組み合わせ信号から高周波信号を生成する変調器が供給される。好ましくは、前記変換回路は、前記変調器から受信される前記高周波信号を、信号線のシングル・ツイスト・ペアにおいて伝送される前記電力伝送と組み合わせるフィルタユニットを有する。
【００１７】
或る実施形態においては、前記変換回路は、ローカル電源レギュレータを有する。
【００１８】
或る実施形態においては、前記変換回路は、更に、信号線のシングル・ツイスト・ペアから受信される伝送からコンフィギュレーション信号を抽出するよう構成され、前記伝送は、前記電力伝送及び／又は前記データ通信と一緒に前記コンフィギュレーション信号を有する。この実施形態においては、前記変換回路は、複数の信号から少なくとも１つの組み合わせ信号への変換機能、及び少なくとも１つの組み合わせ信号から複数の信号への変換機能を供給する。前記変換回路は、１つ以上のツイスト・ペア・ケーブルを介して受信される信号の、各々の出力接点への変換が、前記接点を介して受信される各々の入力信号の、前記ツイスト・ペア・ケーブルに供給される出力への変換の逆になるような、対称変換機能を供給することが可能になる。この場合には、単方向伝送を供給するためには、各々のコネクタ内には１つの変換回路しか設けられない。
【００１９】
本発明の或る態様によれば、電力重視アプリケーション用の電力及びデータの伝送のためのケーブルに取り付け可能なオスコネクタであり、電力伝送のための接点と、データ通信のための接点と、信号線のシングル・ツイスト・ペアから受信される伝送からコンフィギュレーション信号を抽出するよう構成される変換回路とを有するオスコネクタであって、前記伝送が、前記電力伝送及び／又は前記データ通信と一緒に前記コンフィギュレーション信号を有するオスコネクタが提供される。
【００２０】
或る実施形態においては、前記コネクタは、制御信号のための接点を更に有する。前記伝送が、前記電力伝送及び前記データ通信と一緒に前記コンフィギュレーション信号を有する場合には、前記変換回路は、更に、前記シングル・ツイスト・ケーブルから受信される前記伝送から前記電力伝送及び前記データ通信を抽出するよう構成される。
【００２１】
本発明の他の態様によれば、電力重視アプリケーション用の電力及びデータの伝送のためのケーブルであり、前記ケーブルの一方の側に請求項１乃至１０のいずれか一項に記載の第１オスコネクタを有すると共に、前記ケーブルの他方の側に請求項１０乃至１３のいずれか一項に記載の第２オスコネクタを有するケーブルであって、前記ケーブルが、前記電力伝送及び／又は前記データ通信と一緒のコンフィギュレーション信号の通信のためにワイヤの１つのツイスト・ペアしか含まないケーブルが提供される。必要とされる伝送方向に応じて、両方の端部に、両方の変換方向を供給する、又は適切な場合には、単一の変換方向しか供給しない変換回路が設けられ得る。
【００２２】
好ましくは、前記ケーブルは、対称的な機能を供給し、前記オスコネクタは、USB-Cのフォームファクタに従って形成される。このような場合には、ユーザは、ケーブル配線方向に関しては注意を払う必要がない。他の例においては、前記オスコネクタのうちの少なくとも１つはまた、別のUSBのフォームファクタに従って、又はコンフィギュレーション信号接点を備える若しくは備えない負荷特有の設計に従って形成されてもよい。
【００２３】
請求項１に記載のオスコネクタ、請求項１１に記載のオスコネクタ、及び請求項１３に記載のケーブルは、とりわけ、従属請求項において規定されているような、同様の及び／又は同一の好ましい実施形態を有することは理解されるだろう。
【００２４】
本発明の好ましい実施例は、従属請求項又は上記の実施例と、各々の独立請求項の如何なる組み合わせでもあり得ることは理解されるだろう。
【００２５】
下記の実施例を参照して、本発明のこれら及び他の態様を説明し、明らかにする。
【図面の簡単な説明】
【００２６】
【図１Ａ】本発明の実施形態によるオスコネクタを例示的且つ概略的に示す。
【図１Ｂ】本発明の実施形態によるオスコネクタを例示的且つ概略的に示す。
【図２】本発明の実施形態によるオスコネクタの変換回路の第１バージョンを例示的且つ概略的に示す。
【図３】本発明の実施形態によるオスコネクタの変換回路の第２バージョンを例示的且つ概略的に示す。
【図４】本発明の実施形態によるオスコネクタの変換回路の第３バージョンを例示的且つ概略的に示す。
【発明を実施するための形態】
【００２７】
図１Ａは、本発明の実施形態によるオスコネクタを例示的且つ概略的に示している。この実施形態によるコネクタ１０は、USB-Cのフォームファクタに従った形状を有する。USB-Cコネクタは、コンパクト且つ堅牢であり、100Wまでサポートする。コネクタは、ピン定義が、いずれの方向にもプラグ挿入することを可能にするよう対称にミラーリングされていることから、反転可能（flipable）である。USBインプリメンターズフォーラムによって2017年1月12日にリリースされたUSB Power Deliveryの仕様のリビジョン3.0の一部である、2016年3月25日付けの、ユニバーサル・シリアル・バスのタイプCのケーブル及びコネクタの仕様のリビジョン1.2に従うUSB-Cピンレイアウトは、５つの異なるセクションを規定する。１つのデータペアは、USB2.0用であり、２つの高速データペアは、USB3.x用であり、バスパワーのサイドバンド使用ピン（sideband use pins）SBU1/2は、USBモードでは使用されず、コンフィギュレーションチャネルピンCC1/2は、USB-PD関連通信のために、並びにバスモード及び挿入方向の検出のために使用される。他方で、コネクタは、ケーブル１２に取り付け可能であり、ケーブルは、例えば参照により本願明細書に盛り込まれる規格IEEE802.3bu及び802.3bpにおいて記載されているような、１つ以上のツイスト・ペア・ケーブルを含み得る。
【００２８】
コネクタ１０は、変換回路１１を含む回路基板を覆うために好ましくはポリカーボネート製の支持スリーブ１３を含む。好ましくは、回路基板及び前記回路基板上の変換回路は、回路基板の周りに圧着される精密溶接金属シールド１４によって保護される。高速データ伝送用の一般的なUSB-PDケーブルは、通常、とりわけ、電力伝送、データ伝送、制御信号などのために複数のケーブルワイヤを含むが、ケーブル１２は、削減された数のケーブルワイヤ、例えば、図１Ｂにおいて示されているような、電力Ｐ及びデータＤ／制御Ｃ情報を送信するためのシングル・ツイスト・ペア・ケーブル又はダブル・ツイスト・ペア・ケーブルしか含まない。変換回路１１は、入力として、とりわけ、電力伝送Ｐを受け取り、オプションとして、コンフィギュレーション信号Ｃ及びデータ通信Ｄを受け取るが、変換回路１１の出力は、図１ＢにおいてＰで示されているシングル・ツイスト・ペアまでに減らされる、又はオプションとして、図１ＢにおいてＤと表記され破線で示されている第２ツイスト・ペアまでに減らされる。制御信号のための接点の供給はオプションである。USB-Cコネクタは、このような接点を供給する。しかしながら、制御信号は、コネクタに設けられる変換回路１１によっても、接続された負荷の代わりに電力ネゴシエーションを処理するために生成され得る。従って、コネクタ１０と一体化した変換回路１１は、USB-PDネゴシエーションをローカルで行うことができる、又は受電デバイスとの電力ネゴシエーションのために必要とされるコンフィギュレーション信号Ｃを転送し、例えば、受信し、デコードし、変換し、それをデータ通信Ｄに追加することができる、又は電力伝送上に変調されたそれを追加することができる。シングル・ツイスト・ペア・ケーブルの実施例においては、データ信号線もケーブルから取り除かれ、全ての情報Ｃ＋Ｄが電力伝送線Ｐの電力線通信を使用して転送される。変換回路は、製造又はコミッショニング中に予めプログラムされ得る。それは、動作中に（再）プログラムされてもよい。例えば、（信号CC1及びCC2による）USB3に準拠した電力要求信号のために、電力パラメータが、変換回路にプログラムされ得る、例えば、5V及び1Aシンクに調整され得る。ケーブルの他方の側は、コンフィギュレーション信号を供給しない、マイクロ若しくはミニUSBのようなUSBアプライアンスコネクタ、又は特定用途向けコネクタのいずれかを備えていてもよい。このようなコネクタの場合は、変換回路は、コンフィギュレーション信号の生成に役立つ。
【００２９】
ケーブル１２のもう他方の端部には、また、オスコネクタ２０が存在し、オスコネクタ２０も変換回路２１を有し、変換回路２１は、Ｐと表記されている及びオプションとしてＤと表記されている各々のツイスト・ペア・ケーブルを介して受信した１つ以上の信号から逆変換を実施して、各々の出力信号、電力伝送Ｐ、コンフィギュレーション信号Ｃ及びデータ通信Ｄを抽出するよう適合される。好ましくは、変換回路１１及び２１は、同じ構造を有し、従って、好ましくは、双方向信号変換を可能にする両方向の信号の変換を可能にする。例えば、ケーブルの両方の端部がUSB-Cコネクタを備えている場合には、双方向の電力の流れが発生する可能性がある。コンフィギュレーション信号の符号化及び復号は、ケーブルが使用される方向における完全な柔軟性をユーザに与えるために、完全に対称的であるべきである。その場合には、ユーザは、ケーブル配線方向に関しては注意を払う必要がない。しかしながら、単方向の電力の流れで十分である、又は単方向の電力の流れが好ましくすらあるアプリケーションも存在し得る。その場合、回路は、このような単方向の電力の流れ及び対応する制御信号を供給するよう、削減され得る。例えば、ケーブルの片側が、例えばコンピュータのソケットに差し込むホスト側USBコネクタ、又は例えばスマートフォンのようなモバイルデバイスに差し込むアプライアンス側USBコネクタである場合、これは、可能な電力の流れの方向を自動的に設定する。従って、コンフィギュレーション信号の対称的な処理の必要はない。しかしながら、データの流れは依然として対称的である。その場合、両側の変換回路は、それらの機能において異なり得る。第２コネクタ２０はまた、他の任意のUSBのフォームファクタに準拠する、又はシングル・ツイスト・ペア若しくはオプションとしてダブル・ツイスト・ペアを介して受信される信号に対応する特定用途向けプラグを備える、任意の他の適切な設計を有してもよい。
【００３０】
図２は、本発明の実施形態によるオスコネクタの変換回路の第１バージョンを例示的且つ概略的に示している。図１に関連して記載したように、電力伝送Ｐ、データ通信Ｄ、及びオプションとしてコンフィギュレーション信号Ｃが、オスコネクタ１０の接触ピンを介して受信される。回路１１は、それ自体を、USB-Cジャックの適切な接点を使用するUSB3.x接続として識別することができる、又は中央データペア接点を使用するUSB2.x接続としてしか識別しないことができる。USB3においては、データチャネルは２つのデータペアであり、電力制限はより高い。ケーブルは、例えば拡大された電力範囲を得るために、有効なUSB3ケーブルとして識別し、それでも、伝送のためにはケーブル内のデータペアを１つしか使用しないことができる。従って、合計データ転送速度はUSB3の見込みに反して低くなるだろう。データではなく電力を重視するアプリケーションにおいては、これは有利であり得る。変換回路１１は、各々の接点を介して受信されるコンフィギュレーション信号Ｃを復号するコンフィギュレーション信号回路１１２を有する。コネクタが制御信号のための接点を供給しない場合には、コンフィギュレーション信号回路１１２が、これらの信号、例えばUSB-PD制御信号のために定義されているCC1及びCC2を生成し得る。制御信号を生成するためのパラメータは、予めプログラムされ、変換回路、例えばメモリに記憶されてもよい。それらは、製造又はコミッショニング中に予めプログラムされてもよい。負荷と接続すると、負荷がそれ自体を識別することができ、コンフィギュレーション信号回路１１２が制御信号Ｃを生成するために各々のパラメータを決定することができるような、記憶される、各々のデバイスタイプと関連する複数のパラメータが存在し得る。コンフィギュレーション回路は、更に、復号又は生成されたコンフィギュレーション信号Ｃをデータ通信Ｄに準拠したフォーマットに変換する。データ通信Ｄ及びコンフィギュレーション信号回路１１２の出力は、両方とも、データ通信Ｄ、例えばUSB通信データの流れと、USB-PD管理に関連する情報を組み合わせるハブ１１３に入力される。ハブ１１３の出力Ｃ＋Ｄは、電力伝送Ｐのために使用される第２ツイスト・ペア１２ａに沿ったツイスト・ペア１２ｂを介して送信される。変換回路１１は、オプションとして、全ての回路に電力を供給する電源レギュレータ１１７を有する。
【００３１】
図３は、本発明の実施形態によるオスコネクタの変換回路の第２バージョンを例示的且つ概略的に示している。変換回路１１は、コンフィギュレーション信号Ｃが電力伝送ケーブルを介して伝送される電力伝送上に電力線変調されるという点で、図２において示されているバージョンによる変換回路とは異なる。それを達成するために、コンフィギュレーション信号回路１１２の出力は、復号されたコンフィギュレーション信号Ｃから高周波信号を生成する変調器１１４に供給される。この高周波信号は、コンデンサ及びインダクタを含むフィルタユニット１１６を介して電力伝送Ｐと組み合わされる。インダクタは、電力伝送のためのＤＣ成分のみを伝導するために使用され、コンデンサは、データ伝送のために使用される高周波成分を伝導している。両方の成分は、確実に、意図しないＲＦ又はＤＣの流れが生じないようにする。データ通信は、１つのツイスト・ペア・ケーブル１２ｂ'を介して送信され、電力伝送Ｐ及びコンフィギュレーション信号Ｃ情報は、ツイスト・ペア・ケーブル１２ａ'を介してケーブルの他方の端部にある各々のコネクタ２０に送信される。
【００３２】
図４は、本発明の実施形態によるオスコネクタの変換回路の第３バージョンを例示的且つ概略的に示している。本発明の実施形態のこのバージョンにおいては、電力Ｐ、データＤ及び信号情報Ｃを伝送するために、信号線のシングル・ツイスト・ペアしか使用されない。変換回路１１は、図２及び３において示されている実施形態の組み合わせ回路を有する。コンフィギュレーション信号回路１１２の出力は、ハブ１１３に供給され、ハブ１１３においてデータ通信Ｄと組み合わされる。組み合わされた出力は、組み合わされた信号から高周波信号を生成する変調器１１４によって受信される。この高周波信号は、上で図３について説明したのと同じ理由で、コンデンサ及びインダクタを含むフィルタユニット１１６を介して電力伝送Ｐと組み合わされる。
【００３３】
この実施形態においては、電圧及び電力要求についての情報、例えばコンフィギュレーション信号Ｃは、ケーブル１２の電源導体Ｐにおける電力線通信によって転送される。このケーブル１２は、高効率での電力供給のために最適化された１つのツイスト・ペアしか含まない。それは、例えば規格IEEE802.3bu及び802.3bpにおいて記載されているようなシングル・ツイスト・ペアを通じた信頼性の高いデータ及び電力伝送を可能にするように適切な絶縁を選択することによってデータ通信Ｄもサポートする。
【００３４】
図１Ｂ、２、３及び４において示されている全ての実施形態で、コネクタ側部のうちの一方のみが、USB-Cタイプのものであってもよく、他方は、他のUSBコネクタ又は負荷特有のコネクタのいずれかであってもよい。電力ネゴシエーションのためのネゴシエーションパラメータは、例えば、製造時、設置若しくはコミッショニング時、又は動作中に、コネクタ集積回路において予めプログラムされ得る。コネクタのうちの１つが制御信号接点を供給しない場合には、変換回路が、電力ネゴシエーションのための各々の制御信号を生成し得る。好ましくは、ネゴシエーションのためのパラメータは、変換回路においてプログラムされ、記憶され得る。このプログラミングを行うために複数のやり方が使用されることができ、例えば、専用のUSB通信を介して工場内のプログラマがこのプログラミングを行うことができる。あるいは、負荷が、必要に応じて、ネゴシエーションプログラミングをチェックし、変更することができてもよい。例えば、負荷によって最初のネゴシエーションサイクルが開始され次第、変換回路は、ネゴシエーションパラメータを記憶し、後で、例えば、負荷のための再起動後に、ネゴシエーションを開始することができる。ケーブルの両側に、制御信号接点、例えば、USB Cコネクタが設けられる場合にも、変換回路において予めプログラムされたネゴシエーションを有することは有益であり得る。長いケーブルの場合は、リアルタイムでのネゴシエーション信号の伝送は、ケーブル長によって導入される時間シフトのために最適なソリューションではないかもしれない。そのため、長いケーブルを備えるアプリケーションにおいては、２つのコネクタは、最初に、両側の接続デバイスが何をネゴシエートしているかをやり取りし、コネクタが取り出されない限りその情報をローカルに記憶することができる。その場合、制御信号の最初の学習サイクルは、再起動直後に、如何なる準備もなしに、又は時としてデバイスからのトリガすらなしに、実施されることができる。コネクタは、デバイスの代わりに制御ネゴシエーションを実施することができる。
【００３５】
本発明は、図面及び前述の説明において詳細に図示及び説明されているが、このような図示及び説明は、限定のためのものではなく、説明又は例示のためのものであると見なされるべきであり、本発明は、開示されている実施形態に限定されない。当業者は、請求項に記載の発明を実施する際に、図面、明細及び添付の請求項の研究から、開示されている実施形態に対する他の変形を、理解し、達成し得る。請求項において、「有する」という用語は、他の要素又はステップを除外せず、単数形表記は、複数の存在を除外しない。単に、特定の手段が、互いに異なる従属請求項において挙げられているという事実は、これらの手段の組み合わせが有利になるように用いられることができないことを示すものではない。請求項における如何なる参照符号も、範囲を限定するものとして解釈されてはならない。
【図１Ａ】
2020524881.tif 000003
【図１Ｂ】
2020524881.tif 000004
【図２】
2020524881.tif 000005
【図３】
2020524881.tif 000006
【図４】
2020524881.tif 000007
【国際調査報告】
2020524881.tif 000008
2020524881.tif 000009